(57)【特許請求の範囲】
【請求項１】
スチーム釜内の浄水を加熱することで発生させたスチームをイオン化して、人体に噴き付ける美顔機であって、
前記美顔機の電源を切った時の日付である第一の日付と、次に前記美顔機の電源を入れた時の日付である第二の日付とを比較する日付判定回路と、前記スチーム釜内の前記浄水の水位を検出する水位検出手段とを有し、
前記日付判定回路は、
前記第一の日付と前記第二の日付とが異なり、かつ、前記スチーム釜内の水位を検出した結果、前記浄水が前記スチーム釜内に残っていた場合は、前記浄水の交換が必要である旨の信号を発し、新しい浄水が前記スチーム釜内に供給されたことを前記水位検出手段で確認した後に、前記美顔機の作動を許可する信号を発するように構成され、
前記第一の日付と前記第二の日付とが同一の場合は、前記浄水の交換が必要である旨の信号を発しないように構成されたことを特徴とする美顔機。
【発明の詳細な説明】
【０００１】
【発明の属する技術分野】
本発明は、浄水の交換を効率的に行うための日付判定回路を有する美顔機に関する。
【０００２】
【従来の技術】
スチーム釜で発生させたスチームをイオン化し、人体に噴きつける美顔機は、噴き出すスチームの清浄度を保つために、美顔機の停止時には、スチーム釜内の浄水を排出しておく必要がある。
従来、浄水を排出せずに電源を落とした場合は、スチーム釜内の浄水を排出するまでは、電源が入らないようなプロテクトが施されていた。
【０００３】
【発明が解決しようとする課題】
しかし、作業によっては、美顔機の電源を一時的に切ることがあり、このような場合も、その都度、スチーム釜内の浄水を排出し、新しい浄水を入れ直さなければならないため、作業効率が悪くなる場合があった。
従って、本発明の課題は、一時的に美顔機の電源を切った場合に、スチーム釜内の浄水を交換しなければならない煩雑さを解消することである。
【０００４】
【課題を解決するための手段】
本発明の請求項１に係る発明は、スチーム釜内の浄水を加熱することで発生させたスチームをイオン化して、人体に噴き付ける美顔機であって、前記美顔機の電源を切った時の日付である第一の日付と、次に前記美顔機の電源を入れた時の日付である第二の日付とを比較する日付判定回路と、前記スチーム釜内の前記浄水の水位を検出する水位検出手段とを有し、前記日付判定回路は、前記第一の日付と前記第二の日付とが異なり、かつ、前記スチーム釜内の水位を検出した結果、前記浄水が前記スチーム釜内に残っていた場合は、前記浄水の交換が必要である旨の信号を発し、新しい浄水が前記スチーム釜内に供給されたことを前記水位検出手段で確認した後に、前記美顔機の作動を許可する信号を発するように構成され、前記第一の日付と前記第二の日付とが同一の場合は、前記浄水の交換が必要である旨の信号を発しないように構成されたことを特徴とする美顔機とした。
請求項１に記載の美顔機によれば、日付判定回路が、スチーム釜内の浄水を交換する時期を日付により判定するので、一時的に美顔機の電源を切っても浄水を交換する手間を省くことができる。
【０００５】
【発明の実施の形態】
本発明の実施の形態を図面を参照して説明する。
図１は、本発明の美顔機の正面図である。美顔機１は、本体部２と、美容器具を置くために本体前面に配置されたハンガー３と、本体部２の内部で生成したイオン化したスチームを人体に噴き付けるためのノズル４およびノズル４を人体に近づけるための可動式のアーム５とを有している。
本体部２は、上面に操作パネル６を有しており、側面には本体部２の内部に設置されたスチーム釜内の浄水を排出するためのドレイン口７とドレインコック８とからなる排出手段９を有している。
なお、美顔機１は本体部２の下部に設けられたキャスター１０により移動が可能である。
【０００６】
図２に、美顔機１の本体部２の内部のブロック図を示す。本体部２の内部には、浄水を加熱ヒータ１１で加熱してスチームにするためのスチーム釜１２と、スチームをノズル４に供給するための供給経路１３と、スチーム釜１２内の浄水を本体部２の外に排出するための排出手段９と、スチーム釜１２内の浄水の水位を検出する水位検出手段１４と、美顔機１の制御を行う制御装置１５とを有している。なお、供給経路１３は、スチームの中に湯飛が混入することを防止するための湯飛防止装置１６と、スチームをイオン化するための高圧放電電極１７とを備えている。
【０００７】
湯飛防止装置１６は、スチーム釜１２で発生したスチームを導入するための導入管１８と、導入管１８から導入したスチームを対流させるためのバッファ室１９と、導入管に設けられた湯飛検出手段２０とを有している。なお、バッファ室１９の断面積は、導入管１８の断面積よりも十分大きくなっている。
湯飛検出手段２０は、導入管１８内に挿入された図示しない一対の電極を有している。導入管１８を通過するスチームに湯飛が混入した場合は、一対の電極間が同通状態になることで、湯飛の発生を検出することができる。
【０００８】
制御装置１５は、湯飛検出手段２０および水位検出手段１４からの信号を受けて、加熱ヒータ１１および高圧放電電極１７を制御するための制御回路２１と、高圧放電電極１７を放電させるための高電圧発生回路２２と、美顔機１の起動時および停止時の日付を記憶し、比較する日付判定回路２３とを有している。
【０００９】
日付判定回路２３は、美顔機１の電源を切ったときの日付である第一の日付を記憶し、この第一の日付と、次に美顔機１の電源が入ったときの第二の日付とを比較する回路である。第一の日付と第二の日付とが異なる日付であった場合は、日付判定回路２３は、制御回路２１に、スチーム釜１２内の浄水を交換するように指示を出す。制御回路２１は、日付判定回路２３から浄水交換の指示を受けて、図１に示す操作パネル６に浄水交換の警告を表示する。
なお、美顔機１の電源を一時的に切った場合は、浄水を交換しなくても良い。このような場合は、前記の第一の日付と第二の日付が同一の日付となるので、日付判定回路２３は、制御回路２１に浄水交換信号を送らない。よって、浄水交換の警告は表示されず、美顔機１の電源を入れると同時に使用を開始できる。
【００１０】
次に、一日の始めに美顔機１の電源を入れてから、イオン化したスチームを噴き出すまでの動作を説明する。
まず、図１に示す操作パネル６上の美顔機１の電源スイッチを入れてから、スチーム釜１２に新しい浄水を入れる。このとき、日付判定回路２３は、美顔機１の電源スイッチを入れたときの日付を第一の日付として記録する。
さらに、操作パネル６のスチーム発生スイッチをＯＮにすると、制御回路２１は加熱ヒータ１１に昇温信号を送る。昇温信号を受け取った加熱ヒータ１１はスチーム釜１２内の浄水を加熱してスチームを発生させる。
【００１１】
一方で、制御回路２１は、高電圧発生回路２２に高電圧発生信号を送り、高電圧発生信号を受け取った高電圧発生回路２２は、湯飛防止装置１６に設けられた高圧放電電極１７に高電圧をかけて、放電を開始させる。スチーム釜１２内で発生したスチームは、供給経路１３に導入され、高圧放電電極１７によりイオン化された後、図１に示すノズル４から噴き出される。
【００１２】
なお、スチームを発生させているときに、湯飛検出手段２０がスチーム内への湯飛の混入を検出した場合は、制御回路２１は、加熱ヒータ１１による浄水の加熱を停止させると共に、高電圧発生回路２２での高電圧の発生を停止させる。作業者は、スチーム釜１２内の浄水の交換等の必要な措置を講じた後に、再度、スチーム発生スイッチをＯＮにして、スチームを発生させる。従って、ノズル４から噴き出すイオン化したスチームに湯飛が混入することはない。
【００１３】
作業を中断または終了するために美顔機１を停止させる場合は、スチーム発生スイッチをＯＦＦにし、加熱ヒータ１１を止め、高圧放電電極１７への高電圧の印加を停止させてから、美顔機１の電源を切る。
【００１４】
次に、一旦、電源を切った美顔機１を再起動させる場合に行われる処理について説明する。図３は、再起動時の処理を示したフロー図である。まず、ステップＳ１で美顔機１の電源を入れると、ステップＳ２において、日付判定回路２３は、このときの日付を第二の日付として所得する。すると、ステップＳ３として、制御装置１５は、水位検出手段１４を用いて、スチーム釜１２内に浄水が残っているか否かを調べる。スチーム釜１２内に浄水が残っていない場合は、ステップＳ４において、制御装置１５は、新しい浄水をスチーム釜１２に供給する供給命令を出し、操作パネル６に浄水の供給が必要である旨の表示をさせる。そして、ステップＳ５において、スチーム釜１２内に浄水が所定量供給されたことを確認してから、ステップＳ６として、美顔機１の作動許可信号を送り、操作パネル６に作動許可信号を出し、操作パネル６に美顔機１が使用可能である旨の表示をさせる。
【００１５】
一方、ステップＳ３において、スチーム釜１２内に浄水が残っていた場合は、ステップＳ７で、日付判定回路２３が、記憶しておいた第一の日付と、ステップＳ２において取得した第二の日付を比較判定し、第一の日付と第二の日付とが同じ場合（図３のＳ７のＹＥＳ）は、ステップＳ５に進み、前記と同様にして、スチーム釜１２内の浄水の量を確認した後に、ステップＳ６で美顔機１の作動許可信号を送る。
【００１６】
また、ステップＳ７において、第一の日付と第二の日付とが同一で無かった場合（図３のＳ７のＮＯ）は、ステップＳ８により、スチーム釜１２内の浄水の排出命令が出された後、ステップＳ３に戻り、スチーム釜１２内の浄水の排出を確認（ステップＳ３）し、スチーム釜１２に新しい浄水を供給（ステップＳ４，５）した後、美顔機１の使用が可能となる（ステップＳ６）。
【００１７】
スチーム釜１２に残った浄水を排出せずに美顔機１の電源を切り、かつ、翌日に再び美顔機１の電源を入れた場合のみ、操作パネル６に浄水の取替えを要請する警告が表示されるので、日付を変更しない、一時的な美顔機１の停止の場合に、その都度、浄水を交換する必要がなくなるから、作業を効率的に行うことができる。
【００１８】
なお、本発明は実施の形態に限定されるものではく、広く応用して用いることができる。
例えば、日付判定回路２３を日付でなく、美顔機１の電源を切ったときからの経過時間で判定する回路とし、美顔機１の電源を切ってから数時間から数十時間の間の所定時間経過した場合に浄水の交換を要請するようにしても良い。交換頻度が少なくても良い種類の浄水を用いる場合に、浄水の交換の手間を減らすことができる。
【００１９】
【発明の効果】
本発明は、日付判定回路を用いて、浄水の交換が必要か否かの判断を日付により行う美顔機としたので、浄水を排出せずに美顔機の電源を切り、その翌日に再び美顔機の電源を入れた場合のみ、浄水の交換を行うように設定することができる。従って、一時的に美顔機の電源を切った場合に浄水を交換する手間を省くことができる。
【図面の簡単な説明】
【図１】  本発明の美顔機の正面図である。
【図２】  本発明の美顔機内部のブロック図である。
【図３】  美顔機を再起動する際の再起動時の処理を示したフロー図である。
【符号の説明】
１    美顔機
９    排出手段
１１  加熱ヒータ
１２  スチーム釜
１４  水位検出手段
１５  制御装置
１７  高圧放電電極
２１  制御回路
２３  日付判定回路
【図１】
0003721047.tif 000002
【図２】
0003721047.tif 000003
【図３】
0003721047.tif 000004